(57)【特許請求の範囲】
【請求項１】
無段式に変速比調節可能な円錐形プーリ式巻掛け式伝動装置に用いられるリンクプレートチェーン（１）であって、該リンクプレートチェーン（１）の、リンクプレートパッケージにより形成された個々のチェーンリンク（１５）を結合するロッカジョイント（３）が、異なるピッチを有する少なくとも２つのリンクプレート（２）に設けられた切欠き（１０）に押し込まれたロッカピン（４，５）のペアとして形成されており、該ロッカピン（４，５）が、互いに支持された転動面（１２）を備えている形式のものにおいて、
リンクプレートチェーン（１）の長手方向で隣接した３つのチェーンリンク（１５）に属する、リンクプレートチェーン（１）の横方向で相並んで位置するそれぞれ３つのリンクプレート（１０１，１０２，１０３）が、１つのリンクプレート部分列（２０）を形成しており、
リンクプレート部分列（２０）の、リンクプレートチェーン（１）の横方向で外側のリンクプレート（１０３）が、隣接した別のリンクプレート部分列（２０Ｓ）の、横方向で隣接した外側のリンクプレート（１０７）と同じチェーンリンク（１５）に配置されており、
リンクプレート部分列（２０）の、リンクプレートチェーン（１）の長手方向で外側のリンクプレート（１０３）が、リンクプレートチェーンの長手方向で隣接した別のリンクプレート部分列（２０’）の真ん中のリンクプレート（１０５）によってオーバラップされており、
チェーンリンク（１５）が、リンクプレートチェーンの長手方向で測定したロッカジョイント（３）のジョイント軸線同士の相互間隔によって規定されたピッチ（Ｔ）を有しており、リンクプレートチェーン（１）が、少なくとも１つの短いピッチ（ＴＫ）と、長いピッチ（ＴＬ）とを有するチェーンリンク（１５）から成っており、共通のチェーンリンク（１５）に属するリンクプレート部分列（２０，２０Ｓ；２０’，２０Ｓ’）の少なくとも一部の真ん中のリンクプレート（１０２，１０５，１０８，１１１）が、長いピッチ（ＴＬ）を有していることを特徴とするリンクプレートチェーン。
【請求項２】
それぞれ同じチェーンリンク（１５）に属する隣接し合ったリンクプレート部分列（２０，２０Ｓ）が、リンクプレートチェーンの長手方向に延びる平面に対して鏡像対称的に配置されている、請求項１記載のリンクプレートチェーン。
【請求項３】
リンクプレートチェーン（１）が、２５％よりも多いピッチジャンプを有している、請求項１又は２記載のリンクプレートチェーン。
【請求項４】
請求項１から３までのいずれか１項記載のリンクプレートチェーンの、無段式に変速比調節可能な円錐形プーリ式巻掛け式伝動装置における使用。
【発明の詳細な説明】
【技術分野】
【０００１】
本発明は、特に無段式に変速比調節可能な円錐形プーリ式巻掛け式伝動装置に用いられるリンクプレートチェーンであって、該リンクプレートチェーンの、リンクプレートパッケージにより形成された個々のチェーンリンクを結合するクレードルジョイントもしくはロッカジョイント（Wiegegelenk）が、リンクプレートに設けられた切欠き内に押し込まれたクレードル部材もしくはロッカピンのペアとして形成されており、該ロッカピンが、互いに支持された転動面を備えている形式のものに関する。
【０００２】
リンクプレートチェーンは、多くの実施形態の形で知られている。たとえば、ドイツ連邦共和国特許出願公開第３０２７８３４号明細書には、リンクプレートチェーンの２列反復配列型リンクプレートユニット（Zweilaschenverband）および３列反復配列型リンクプレートユニット（Dreilaschenverband）が記載されている。さらに欧州特許第０８０００１８号明細書には、このような形式のリンクプレートが使用され得る無段式に変速比調節可能な円錐形プーリ式巻掛け式伝動装置の１例が記載されている。
【０００３】
このような形式のリンクプレートチェーンには、音響的な特性を改善するために、互いに異なるピッチの個々のチェーンリンクが備えられる。つまり短いピッチと長いピッチとが存在する連結したチェーンリンク配列が行われる。このためには、特に３列反復配列型リンクプレートユニットでは、個々のリンクプレートが互いに引っかかることを阻止することが必要となる。このためには、いくつかのリンクプレートにいわゆるオーバラップ突端（Ueberlappungszipfel）を設けることが知られている。この場合には、一般に４種類のリンクプレートタイプ、すなわちオーバラップ突端のない短いリンクプレートタイプ、オーバラップ突端を有する短いリンクプレートタイプ、オーバラップ突端のない長いリンクプレートタイプおよびオーバラップ突端を有する長いリンクプレートタイプが必要とされる。リンクプレートタイプ列において単独の長いリンクプレートしか列に組み入れられない場合でも、つまり長いリンクプレートから成るチェーンリンクの後に、短いリンクプレートから成る少なくとも１つのチェーンリンクが続く場合でも、３種類のリンクプレートタイプ、すなわちオーバラップ突端のない短いリンクプレートと、オーバラップ突端を有する短いリンクプレートと、長いリンクプレートとが必要となる。
【０００４】
本発明の課題は、リンクプレートチェーンの内部でのリンクプレートの配置、特に短いリンクプレートと長いリンクプレートとの互いに異なるピッチを有するリンクプレートの配置を改良して、オーバラップ突端を不要にすることのできる配置を提供することである。本発明の別の課題は、必要とされるリンクプレートタイプの数を減じることである。
【０００５】
この課題は、請求項１に記載のリンクプレートチェーンにより解決される。すなわち、この課題は、特に無段式に変速比調節可能な円錐形プーリ式巻掛け式伝動装置に用いられるリンクプレートチェーンであって、該リンクプレートチェーンの、リンクプレートパッケージにより形成された個々のチェーンリンクを結合するロッカジョイントが、リンクプレートに設けられた切欠き内に押し込まれたロッカピンのペアとして形成されており、該ロッカピンが、互いに支持された転動面を備えている形式のものにおいて、リンクプレートチェーンの長手方向で隣接した３つのチェーンリンクに属する、リンクプレートチェーンの横方向で相並んで位置するそれぞれ３つのリンクプレートが、１つのリンクプレート部分列を形成しており、リンクプレート部分列の、リンクプレートチェーンの横方向で外側のリンクプレートが、隣接した別のリンクプレート部分列の、横方向で隣接した外側のリンクプレートと同じチェーンリンクに配置されていることを特徴とするリンクプレートチェーンによって解決される。
【０００６】
この場合、リンクプレート部分列とは、長手方向で隣接し合ったチェーンリンクの、相並んで位置しかつロッカジョイントにおいて互いにオーバラップしている複数のリンクプレートを意味する。この場合、リンクプレートチェーンは、同形式のリンクプレート部分列、またはリンクプレートチェーンの長手方向に関して鏡像対称的に配置されたリンクプレート部分列から構成される。リンクプレート部分列の概念を、複数のリンクプレート部分列からモジュール式にリンクプレートチェーン全体を構成することを可能にするように、できるだけ少数のリンクプレートがまとめられた（任意の）部分量形成体（Teilmengenbildung）とみなすこともできる。リンクプレートチェーンの横方向とは、ロッカジョイントに沿った方向を意味しており、つまりロッカジョイントのジョイント軸線に対して軸方向の方向を意味している。リンクプレートチェーンの長手方向とは、このリンクプレートチェーンが力を伝達することのできる方向である。外側のリンクプレート部分列の外側のリンクプレートは、当然ながら隣接したリンクプレートを有しておらず、この外側のリンクプレートは、リンクプレートチェーンのアウタリンクプレートを形成する。
【０００７】
有利な構成では、リンクプレート部分列の、リンクプレートチェーンの長手方向（「チェーン走行方向」とも呼ばれる）で外側のリンクプレートが、リンクプレートチェーンの長手方向で隣接した別のリンクプレート部分列の真ん中のリンクプレートによってオーバラップされる。すなわちリンクプレート部分列の真ん中のリンクプレートにより、隣接し合ったリンクプレート部分列の外側のリンクプレートは、ロッカジョイントもしくはロッカピンに沿った移動運動を実施することができず、またリンクプレートチェーンの横方向および長手方向から形成された平面に対して垂直な軸線を中心とした旋回運動をも実施することができなくなる。
【０００８】
別の有利な構成では、それぞれ同じチェーンリンクに属する隣接し合ったリンクプレート部分列が、リンクプレートチェーンの長手方向に延びる平面に対して鏡像対称的に配置されている。リンクプレートチェーンの横方向で相並んで位置し、かつそれぞれ３つの同じチェーンリンクに属する複数のリンクプレート部分列を考えると、これらのリンクプレート部分列は、いわばジグザク状に配置されており、すなわち相並んで位置するリンクプレート部分列は、互いに対してそれぞれ鏡像対称的である。
【０００９】
さらに有利な別の構成では、チェーンリンクが、リンクプレートチェーンの長手方向で測定した、ジョイントのジョイント軸線同士の相互間隔によって規定されたピッチを有しており、リンクプレートチェーンが、少なくとも１つの短いピッチを有するチェーンリンクと、長いピッチを有するチェーンリンクとから成っており、共通のチェーンリンクに属するリンクプレート部分列の少なくとも一部の真ん中のリンクプレートが、長いピッチを有している。すなわち、リンクプレート部分列の一部は、同じピッチを有するリンクプレートから成っており、リンクプレート部分列の別の部分は、短いピッチを有するリンクプレートと、長いピッチを有するリンクプレートとの混合から成っている。この場合、長いピッチを有するリンクプレートはそれぞれ、リンクプレート部分列の、長手方向で見て真ん中に位置している。つまり、このようなリンクプレート部分列は、長いピッチを有する１つのチェーンリンクが、リンクプレートチェーンの長手方向で見て両側で短いピッチを有するチェーンリンクによって隣接されるようなチェーンリンクに属している。短いピッチとは、ロッカジョイント同士の間隔が、長いピッチの場合よりも小さいことを意味している。
【００１０】
さらに有利な別の構成では、リンクプレートチェーンが、２つのタイプのリンクプレート、すなわち短いピッチを有するリンクプレートと、長いピッチを有するリンクプレートを有している。この場合、付加的な特殊化されたチェーンリンクは不要にされる。さらに別の有利な構成では、リンクプレートチェーンが、２５％よりも大きいピッチジャンプを有している。ピッチジャンプとは、チェーンリンク同士の間のピッチの差、つまりは短いピッチを有するリンクプレートと長いピッチを有するリンクプレートとの間のピッチの差を意味する。本発明によるリンクプレートチェーンは、２つよりも多いピッチを有していてもよく、つまりたとえば短いピッチ、中間のピッチおよび長いピッチを有するチェーンリンクまたは任意の数のピッチを有していてもよい。リンクプレートチェーン内部での本発明によるリンクプレートの配置により、ピッチ毎に１つのリンクプレートタイプを使用することが可能になる。すなわち、リンクプレートチェーンが、たとえば５種類のピッチを有している場合には、５種類のリンクプレートが必要となる。
【００１１】
冒頭で挙げた問題は、無段式に変速比調節可能な円錐形プーリ式巻掛け式伝動装置における本発明によるリンクプレートチェーンの使用によっても解決される。
【００１２】
以下に本発明の実施例を添付の図面につき詳しく説明する。
【図面の簡単な説明】
【００１３】
【図１】自体公知のリンクプレートチェーンを上から見た図である。
【図２】図１に示したリンクプレートチェーンの側面図である。
【図３】３列反復配列型リンクプレートユニットの自体公知のリンクプレートチェーンを上から見た図である。
【図４】互いに異なる長さのリンクプレートを有する図３に示したリンクプレートチェーンを上から見た図である。
【図５】オーバラップ突端を有する自体公知のリンクプレートチェーンを上から見た図である。
【図６】図５によるリンクプレートチェーンの側面図である。
【図７】オーバラップ突端を有する自体公知のリンクプレートチェーンの別の実施形態を上から示した図である。
【図８】図７に図示のリンクプレートチェーンからオーバラップ突端を省いたリンクプレートによる可能な傾倒運動を示す図である。
【図９】本発明によるリンクプレートチェーンを上から見た図である。
【００１４】
図１は、円錐形プーリ式巻掛け式伝動装置（continuous variable transmiddion；ＣＶＴ）に用いられる巻掛け手段として使用される自体公知のリンクプレートチェーン１の一部を上から見た図である。このような円錐形プーリ式巻掛け式伝動装置は、それぞれプーリを形成する２つの円錐形ディスクペアを有しており、両円錐形ディスクペアを巡ってリンクプレートチェーンが循環する。このような円錐形プーリ式巻掛け式伝動装置の変速比を連続的に調節するためには、円錐形ディスクペアの円錐形ディスク同士の間の間隔が互いに逆向きに調節される。
【００１５】
このようなリンクプレートチェーン１は、個々のリンクプレート２から構成されている。これらのリンクプレート２は、リンクプレートチェーンの長手方向で相並んで延びる列Ｉ，ＩＩ，ＩＩＩ等内に配置されている。隣接する列Ｉ，ＩＩ，ＩＩＩ等の少なくともいくつかのリンクプレート２は、互いに対してずらされて配置されているので、リンクプレートチェーン１を横方向に貫通して延びるロッカジョイント３は、リンクプレートチェーン１の長手方向ユニットおよび横方向ユニットを生ぜしめる。リンクプレートチェーン１の長手方向Ｌに対して直交する横方向で相並んで位置する、同じロッカジョイント３を有するリンクプレート２は、リンクプレートスタック１５を形成する。このリンクプレートスタック１５は、チェーンリンク１５とも呼ばれる。
【００１６】
図２は、図１に示したリンクプレート２ａの側面図を示している。図面から判るように、全体を符号「３」で示された各ロッカジョイントは、ロッカピン４，５のペアにより形成される。それぞれのロッカピン４，５の互いに離反した側の側面６，７は、各リンクプレートに設けられた切欠き１０の内面に接触している。図２では、ロッカピン４の側面６がリンクプレート２ａの内面８に接触している。ロッカピン５の側面７は、リンクプレート２ｂの内面９に接触している。この場合、図２に示したリンクプレート２ｂは、隣接するリンクプレート２ａの切欠き１０を通じて見えている領域の右側の縁部を示すライン１１により示されている。１つの単独の切欠き１０の代わりに、リンクプレートが、各１つのロッカジョイントを収容するための互いに分離された２つの切欠きを有していてもよい。その場合、両切欠きは、図２のように長孔の形で形成されているのではなく、２つの個別の切欠きとして形成されている。各ロッカピンペア４，５の互いに接して向かい合った面は、転動面１２を形成する。ロッカピンは、リンクプレートチェーンの湾曲時に、この転動面に沿って互いに転動する。互いに転動する２つのロッカピン４，５の２つの転動面１２は、ロッカピン４，５に沿って形成された転動ライン１４に沿って互いに接触している。
【００１７】
チェーン長手方向でのロッカジョイント３の２つの回転軸線もしくは転動ライン１４の間隔は、リンクプレートチェーン１のピッチＴと呼ばれる。すなわち、ピッチＴは、たとえばチェーンリンク１５内部の２つの転動ライン１４の間隔により表される。
【００１８】
ロッカピン４，５の、リンクプレートチェーン１から側方に突出した端面１３は、当付け面を形成する。この当付け面は、円錐形プーリ式巻掛け式伝動装置の円錐形ディスクの円錐面と摩擦接触する。
【００１９】
図１は、いわゆる２列反復配列型リンクプレートユニットにおけるリンクプレートチェーン１を示している。このリンクプレートチェーンでは、リンクプレート２の配置が、それぞれ２つのピッチの後で繰り返されているか、またはチェーンの側方の方向で有利には２列毎に反復する。図１から判るように、ピッチＴは、ピン（ロッカピン）の直径ｄの２倍と、リンクプレートの厚さＤの２倍とに、連続し合ったリンクプレート間の小さな間隔を加算した値により規定される。
【００２０】
図３に示したいわゆる３列反復配列型リンクプレートユニットを用いると、より小さなピッチＴが得られている。この３列反復配列型リンクプレートユニットでは、パターンがそれぞれ３つのピッチの後で反復するか、または有利にはリンクプレートチェーンの横方向で３列毎に反復する。図３から判るように、３列反復配列型リンクプレートユニットにおいて、ピッチＴは、ロッカピンの厚さの２倍もしくはピンの直径ｄの２倍に、リンクプレート２の厚さＤと、リンクプレートとロッカジョイントもしくはロッカピンとの間の小さな間隔とを加算した値である。図３に示した３列反復配列型リンクプレートユニットは、図１に示した２列反復配列型リンクプレートユニットよりも小さなピッチＴを有している。図４は、互いに異なる２つのピッチＴ、すなわち短いピッチＴＫと長いピッチＴＬとを有するリンクプレートチェーンの、図１および図３に類似した部分を示している。互いに異なるピッチＴＫおよびＴＬは、互いに異なる２種類のリンクプレート、すなわち短いリンクプレート２ｋおよび長いリンクプレート２ｌが使用されることにより可能となる。この場合、この短いリンクプレート２ｋと長いリンクプレート２ｌとは、実質的にリンクプレートチェーンの長手方向で測定された切欠き１０（図２参照）の長さ、ひいてはリンクプレート２の全長の点でのみ互いに異なっている。互いに異なるピッチを有するリンクプレートチェーン１は、リンクプレートチェーンもしくは円錐形プーリの音響的な励振の理由、ひいては騒音快適性の理由から有利である。なぜならば、互いに異なるチェーンピッチ、ひいてはリンクプレートチェーン１内部の端面１３の互いに異なる間隔により、単一音の励振が低減されるか、もしくは抑制され得るからである。
【００２１】
図３に示したチェーンと同じ３列反復配列型リンクプレートユニットに配置されている、図４に示したリンクプレートチェーンの構成において生じる問題は、短いリンクプレートまたは長いリンクプレートであってよくかつ図４で見て最も上方のリンクプレート２ｋの右側に続いているリンクプレート２ｘが、リンクプレート２ｋに、隣接する列で右側に続いたリンクプレート２ｋ１にもはやオーバラップしていないので、リンクプレート２ｘが、リンクプレートチェーン１の長手方向に対して直交する横方向で、ロッカジョイント３もしくはロッカピン４，５に対して側方に移動し得ることにある。
【００２２】
リンクプレートスタック１５内で個々のリンクプレートがこのように移動することを阻止するために、いくつかのリンクプレート２に、図５および図６に示したオーバラップ突端１６を配置することが知られている。これに関して図５には、図１、図３および図４に相当するリンクプレートチェーン１の一部が上から見た平面図で図示されている。図６は、図２に類似した側面図を示している。図示されているのは、長いピッチＴＬかまたは短いピッチＴＫを有するリンクプレートスタックもしくはチェーンリンク１５である。長いピッチＴＬを有するチェーンリンク１５のリンクプレート２は、それぞれリンクプレート２ｌとして示されており、相応して短いピッチＴＫを有するチェーンリンク１５のリンクプレート２は、リンクプレート２ｋとして示されている。図５に示したリンクプレート２は、付加的に、リンクプレート２．１，２．２，２．３，２．４，２．５，２．６，２．７として通し番号を付与されている。図５で符号「２．６」を有する長いリンクプレート２ｌｚは、オーバラップ突端１６を有しており、該オーバラップ突端１６の形状は、図６の側面図から判る。符号「２．２」を有する長いリンクプレート２ｌｚは、同じくオーバラップ突端１６を有しているが、このオーバラップ突端１６は、図６の側面図では遮蔽されているので見えていない。オーバラップ突端１６により、隣接した列内の隣接したチェーンリンク１５のリンクプレート、つまり符号「２．３」を有するリンクプレートとのオーバラップＡが常に生ぜしめられるようになる。図５で符号「２．４」を有するリンクプレート２ｋｚは、同様のオーバラップ突端１６を有しているので、このオーバラップ突端１６は、符号「２．２」を有するリンクプレート２ｌとのオーバラップＢを常に有している。このようなオーバラップ突端１６は、特に２５％よりも多いピッチジャンプがある場合に必要とされる。ピッチジャンプとは、長いリンクプレートと短いリンクプレートとの長さの差、ひいては短いピッチＴＫと長いピッチＴＬとの差を意味している。つまりオーバラップ突端１６により、特に長いリンクプレート２ｌの領域ではリンクプレートが側方へ移動し得ないようになり、これによりリンクプレートチェーン１の引っかかりが起こらなくなる。オーバラップ突端１６の使用は、互いに異なる４種類のリンクプレートタイプ、すなわち短いリンクプレート２ｋと、オーバラップ突端を有する短いリンクプレート２ｋｚと、長いリンクプレート２ｌと、オーバラップ突端を有する長いリンクプレート２ｌｚとの使用を必要とする。図７に示したリンクプレート順序では、互いに異なる３種類のリンクプレートタイプにまで減らすことが可能である。
【００２３】
短いピッチＴＫ−長いピッチＴＬ−短いピッチＴＫを有する典型的なリンクプレート配列もしくはピッチ配列が図示されている。この配列では、リンクプレートの引っかかりを阻止するために、短いリンクプレート２ｋｚがオーバラップ突端１６を備えている。オーバラップ突端１６により、短いリンクプレート２ｋ、２ｋｚを有する隣接し合ったチェーンリンク１５は側方に重なり合うように移動し得なくなり、こうしてリンクプレートチェーン１の引っかかりが生じなくなる。オーバラップ突端１６が存在しないと、図８に示したようにリンクプレートの引っかかりが生じてしまう。図８に示した配列では、オーバラップ突端を有する短いリンクプレート２ｋｚが、オーバラップ突端のない短いリンクプレート２ｋによって代えられている。図面から判るように、短いピッチを有する、１つの列中で隣接し合ったリンクプレート２ｋは回転してしまい（回転矢印１７により示す）、こうして引っかかってしまう。同じように、隣接し合った列の隣接し合ったチェーンリンク１５のリンクプレートが移動してしまい（矢印１８で示す）、こうして引っかかりを生ぜしめてしまうことも考えられる。
【００２４】
図９には、短いピッチＴＫを有するチェーンリンク１５と、長いピッチＴＬを有するチェーンリンク１５とを有する本発明によるリンクプレートチェーン１が示されている。このリンクプレートチェーン１は、互いに異なる２種類のリンクプレートタイプ、すなわち短いリンクプレート２ｋと長いリンクプレート２ｌとから成っている。このリンクプレートチェーン１ではオーバラップ突端１６が不要にされているにもかかわらず、リンクプレート２ｋ，２ｌの相互の引っかかりが確実に阻止される。短いリンクプレート２ｋは、短いピッチＴＫを有するチェーンリンク１５を形成し、長いリンクプレート２ｌは、長いピッチＴＬを有する相応するチェーンリンク１５を形成する。図９に実施例として示されているような本発明によるリンクプレート配列では、オーバラップ突端１６を有するリンクプレート２の使用を不要にすることができる。こうして、互いに異なる２種類のピッチＴＬ，ＴＫを有する３列反復配列型リンクプレートユニットのリンクプレートチェーン１を製造することが可能となる。このリンクプレートチェーン１は、２種類のリンクプレートタイプからしか成っておらず、それにもかかわらず個々のリンクプレートの引っかかり（Verkanten）の危険が生じない。個々のリンクプレート２を容易に区別し、かつ図１〜図８で使用した符号に対してリンクプレート符号を容易に区別できるようにするために、図９のリンクプレートは、符号「１０１」から始まる通し番号を付与されている。図面から判るように、このリンクプレート配列は、３列反復配列型リンクプレートユニットである。この場合、たとえば短いピッチＴＫを有する短いリンクプレート２ｋであるリンクプレート１０１から始まって、リンクプレート１０２がオーバラップして続いている。この場合、このリンクプレート１０２は、長いピッチＴＬを有する長いリンクプレート２ｌである。このリンクプレート１０２にオーバラップしてリンクプレート１０３がさらに続いており、このリンクプレート１０３は短いピッチＴＫを有する短いリンクプレート２ｋである。リンクプレートチェーン１の長手方向において、これらのリンクプレートにリンクプレート２の同様の配列が続いている。これらのリンクプレート２は、短いリンクプレート２ｋに付いては「１０４」で、長いリンクプレート２ｌについては「１０５」で、短いリンクプレート２ｋについては「１０６」でそれぞれ示されている。リンクプレート１０１，１０４は、列Ｉに配置されており、リンクプレート１０２，１０５は列ＩＩに配置されており、リンクプレート１０３，１０６は列ＩＩＩに配置されている。図９の図平面内でリンクプレートチェーンの長手方向で右側に向かって見て（長手方向の右側に向かう方向は、符号「１９」を有する矢印により示されている、すなわち長手方向とは、矢印方向ならびに矢印方向とは逆向きの方向を意味する）、１つのロッカジョイント３に相並んでオーバラップして配置されたリンクプレート２は、それぞれ矢印２１により示された上方に向かって積み重ねられている。すなわちリンクプレート１０２は、矢印２１の方向にずらされてリンクプレート１０１にスタックされており、リンクプレート１０３は相応して矢印２１の方向にずらされてリンクプレート１０２にスタックされている。このことはリンクプレート１０４，１０５，１０６によっても繰り返され、この場合リンクプレート１０４は、当然ながらリンクプレート１０３に対して、矢印２１の方向とは逆の方向でずらされている。図９から判るように、ここではリンクプレート１０２，１０５である長いリンクプレート２ｌはそれぞれ、先行するリンクプレート部分列２０もしくは後続のリンクプレート部分列２０の最初のリンクプレートまたは最後のリンクプレートにオーバラップする。リンクプレート部分列２０とは、リンクプレート２の、３列反復配列型リンクプレートユニットを形成するそれぞれ１つの配列セット、つまりたとえば、１つのリンクプレート部分列２０を形成するリンクプレート１０１，１０２，１０３のセットならびに１つのリンクプレート部分列２０’を形成するリンクプレート１０４，１０５，１０６のセットを意味する。この場合、長いリンクプレート１０２は、隣接したリンクプレート部分列２０’の最初の短いリンクプレート、つまりリンクプレート１０４にオーバラップしている。相応して、リンクプレート１０５は、隣接したリンクプレート部分列２０の最後の短いリンクプレート１０３、つまりリンクプレート１０３にオーバラップする。
【００２５】
リンクプレートチェーンの、図９に矢印２１により示されている横方向では、列Ｉ，ＩＩ，ＩＩＩのリンクプレート部分列２０，２０’に、それぞれリンクプレート部分列２０が続いている。これらのリンクプレート部分列２０は、長手方向に延びる平面に関して、リンクプレート部分列２０，２０’に対して鏡像対称的に形成されている。リンクプレート１０１と同じチェーンリンク内のリンクプレート１０９を起点として長手方向で、リンクプレート部分列２０の隣接したリンクプレートは、矢印２１の方向ではなく、つまり図９で見て上方に向かってスタックされたリンクプレートではなく、矢印２１とは逆の方向、つまり下方に向かってスタックされたリンクプレート１０８，１０７が続いている。リンクプレート１０７，１０８および１０９は、リンクプレートスタック２０に対して鏡像対称的なリンクプレートスタック２０Ｓを形成する。相応して、このリンクプレートスタック２０Ｓに続いたリンクプレート１１０，１１１，１１２は、リンクプレートスタック２０’に対して鏡像対称的に配置されたリンクプレートスタック２０Ｓ’を形成する。
【００２６】
このリンクプレートスタック内の長いリンクプレート、つまり図９ではリンクプレートスタック２０内のリンクプレート１０２、リンクプレートスタック２０’内のリンクプレート１０５、リンクプレートスタック２０Ｓ内のリンクプレート１０８およびリンクプレートスタック２０Ｓ’内のリンクプレート１１１はそれぞれ、隣接したリンクプレートスタックの短いリンクプレートとオーバラップするように配置されている。たとえばリンクプレート１０２は、隣接したリンクプレートスタック２０’のリンクプレート１０４とオーバラップしている。リンクプレートスタック２０Ｓのリンクプレート１０８は、隣接したリンクプレートスタック２０Ｓ’のリンクプレート１１０とオーバラップしており、リンクプレートスタック２０Ｓ’のリンクプレート１１１は、リンクプレートスタック２０Ｓのリンクプレート１０７とオーバラップしている。このような配置により、いずれのリンクプレートもロッカジョイントに沿った移動運動または傾倒運動によって別のリンクプレートと引っかかる可能性を有さないことが保証されている。
【００２７】
本発明によるリンクプレート配列は、１つのリンクプレート部分列２０内に、短いリンクプレート、長いリンクプレート、そして再び短いリンクプレートの配列セットか、または３つの短いリンクプレートの配列セットを有している。
【００２８】
たとえばリンクプレート１０３および１０７ならびにリンクプレート１０６および１１２においてそうであるように、リンクプレート部分列２０は常に、リンクプレートチェーン１の横方向で外側のリンクプレートによって次のリンクプレート部分列２０に完全に合致するように載着される。すなわち、リンクプレートチェーン１の横方向で隣接し合うリンクプレート部分列２０のリンクプレートは、オーバラップして配置されているのではなく、リンクプレートチェーン１内で合致して配置されている。
【００２９】
さらに、リンクプレートチェーンの内部のリンクプレートの上述した配列により、リンクプレートチェーンの横方向でそれぞれ外側に配置されたリンクプレートである、リンクプレートチェーンの各端部リンクプレートが短いリンクプレートであることが保証されている。
【符号の説明】
【００３０】
１  リンクプレートチェーン
２  リンクプレート
２ｋ  短いピッチＴＫを有するリンクプレート
２ｋ  長いピッチＴＬを有するリンクプレート
３  ロッカジョイント
４  ロッカピン
５  ロッカピン
６  側面
７  側面
８  内面
９  内面
１０  切欠き
１１  ライン
１２  転動面
１３  端面
１４  転動ライン
１５  リンクプレートスタック／チェーンリンク
１６  オーバラップ突端
１７  矢印
１８  矢印
１９  矢印
２０  リンクプレート部分列
２０’  リンクプレート部分列
２０Ｓ  鏡像対称的なリンクプレート部分列
２０Ｓ’  鏡像対称的なリンクプレート部分列
２１  矢印
Ａ，Ｂ  オーバラップ部分
【図１】
0005542446.tif 000002
【図２】
0005542446.tif 000003
【図３】
0005542446.tif 000004
【図４】
0005542446.tif 000005
【図５】
0005542446.tif 000006
【図６】
0005542446.tif 000007
【図７】
0005542446.tif 000008
【図８】
0005542446.tif 000009
【図９】
0005542446.tif 000010